(57)【要約】【課題】簡易な構成で、スクラップを確実に切断可能であって、かつ、小型化を図ることでワークの多様化にも容易かつ低コストに対応可能なトリミング装置、およびこの装置に用いられるスクラップ刃ユニットを提供する。【解決手段】ユニット本体１２の、下型２のスクラップ刃６と対向する位置には凹部１６が形成され、この凹部１６内に可動刃部１３が収容される。可動刃部１３のトリミング刃３ａとは反対側の端部には、型締め方向に対して所定の傾斜角をなす傾斜面２０が設けられると共に、カム部材１５には、可動刃部１３の傾斜面２０と摺接可能な傾斜面２１が設けられる。カム部材１５を、傾斜面２０、２１同士を当接させた状態で附勢手段１４により可動刃部１３の移動方向と交わる向きに附勢するよう、附勢手段１４およびカム部材１５をユニット本体１２に配設した。【選択図】図２
2008087051.tif 000002
【特許請求の範囲】
【請求項１】
対応する一対のトリミング刃とスクラップ刃とを有する上型および下型を備え、
前記上型は、前記下型のスクラップ刃と対向する位置に設けられる凹部と、該凹部内で型締め方向に沿って相対移動可能に保持され、かつ前記上型のトリミング刃の一部を構成する可動刃部と、該可動刃部を弾性力でもって型締め方向に附勢する附勢手段とを有するトリミング装置において、
前記可動刃部と摺動可能に当接するカム面を設けたカム部材を前記附勢手段に連結し、前記カム部材を前記可動刃部の移動方向と交わる向きに附勢するよう構成したことを特徴とするトリミング装置。
【請求項２】
対応する一対のトリミング刃とスクラップ刃とを有するトリミング装置の上型および下型のうち、前記上型に固定されて使用されるスクラップ刃ユニットであって、
ユニット本体と、該ユニット本体の、前記下型のスクラップ刃と対向する位置に設けられる凹部と、該凹部内で型締め方向に沿って相対移動可能に保持され、かつ前記上型のトリミング刃の一部を構成する可動刃部と、該可動刃部を弾性力でもって型締め方向に附勢する附勢手段とを備え、
前記可動刃部と摺動可能に当接するカム面を設けたカム部材を前記附勢手段に連結し、前記カム部材を前記可動刃部の移動方向と交わる向きに附勢するよう構成したスクラップ刃ユニット。
【発明の詳細な説明】
【技術分野】
【０００１】
本発明は、トリミング装置、およびこのトリミング装置に組み込まれて使用されるスクラップ刃ユニットに関する。
【背景技術】
【０００２】
従来、プレス（絞り）成形されたワークの周縁を上下型に設けたトリミング刃でトリミングし、これと同時にワークと切り離されたスクラップを同じく上下型に設けたスクラップ刃で細断して後処理を容易にするようにしたトリミング装置として、種々のものが提案されている。
【０００３】
例えば、トリミング刃によるワークのトリミングと、スクラップ刃によるスクラップの切断とを同時に行うための手段として、図７に示すように、下型の下部スクラップ刃７１と協働してスクラップの切断を行う上部スクラップ刃７２を上型７３に設けると共に、上型７３の下面に、上部スクラップ刃７２に沿って凹んだ凹溝７４を形成し、この凹溝７４内に、可動トリミング刃７５を上下動可能に収容すると共に、凹溝７４の頂面部と可動トリミング刃７５との間に弾性体７６を配設した構成のトリミング装置が提案されている。このトリミング装置においては、弾性体７６の作用により、上部スクラップ刃７２と同一面に保持可能に、かつ下部スクラップ刃７１による押圧によりその附勢力に抗して凹溝７４内に退入可能に常時下方へ附勢されるように構成がなされている（例えば、特許文献１を参照）。
【０００４】
また、弾性体を配設することなく、可動トリミング刃を構成したものとして、図８に示すように、上型８３に対して上下動可能に配され、一方が下型のスクラップ刃８１に対向する刃８２を有するものとされた一対の昇降部材８４、８５、および、一対の昇降部材８４、８５の夫々の上端部に摺動可能に当接して、一対の昇降部材８４、８５のうちの一つが上昇する時、それに応じて他の一つを下降させる可動カム部材８６からなるスクラップ用可動切刃機構を備えたトリミング装置が提案されている（例えば、特許文献２を参照）。
【特許文献１】特開平０６−１２６３４１号公報
【特許文献２】実開平０５−５２２７号公報
【発明の開示】
【発明が解決しようとする課題】
【０００５】
ここで、特許文献１に記載の如く、弾性体７６の作用により、可動トリミング刃７５を凹溝７４内に退入可能に常時下方に附勢する構成を採る場合、弾性体７６による附勢力は、当然ながら、トリミング時の上型７３の切断力（ワークから受ける反力）より大きい必要がある。弾性体７６は、可動トリミング刃７５とその附勢方向に沿って縦列に配設されることから、附勢力を保持するためには、弾性体７６の全長を延ばす等して附勢力を確保する必要が生じる。このような理由から、上型の厚み方向の寸法が大きくなり易い。この場合、トリミング刃を有する部材だけではなく上型本体にまで加工を施す必要が生じ、またスクラップ切断の数だけ同様の加工が必要となるため、加工時間の大幅な増加を招く。特に、ワークの多様化に対応するためには、迅速かつ低コストな設備変更が要求されるが、上述の構成では、この要求に満足に応えることは難しい。
【０００６】
例えば、特許文献２に記載の構成によれば、弾性体等の附勢手段を必要としないため、構成を簡素化でき、これにより装置を小型化できる可能性がある。しかしながら、この構成は、そもそも昇降部材８４、８５、およびカム部材８６の位置関係を厳密に設定することによりトリミングおよびスクラップの切断を行うものである。そのため、この構成を実用上機能し得るものとするためには、昇降部材８４、８５、およびカム部材８６、さらにはこれらを収容する格納凹部８７全てを高精度に加工しなければならない。例えば、カム部材８６と格納凹部８７の頂底面８８との間のすき間が所要の値より大きければ、図８に示すように、双方の昇降部材８４、８５の下端面がワークＷと当接した状態において、未だ上方にすき間が残る結果となる。そのため、トリミング時の切断力により双方の昇降部材８４、８５がさらに上方に移動し、これによりトリミングラインが揃わなくなる恐れが生じる。上記不具合を解消するには、各部品を高精度に加工する必要があるが、これだと加工コストの高騰を招くため適当ではない。
【０００７】
以上の事情に鑑み、本発明では、簡易な構成で、スクラップを確実に切断可能であって、かつ、小型化を図ることでワークの多様化にも容易かつ低コストに対応可能なトリミング装置、およびこの装置に用いられるスクラップ刃ユニットを提供することを技術的課題とする。
【課題を解決するための手段】
【０００８】
前記課題を解決するため、本発明は、対応する一対のトリミング刃とスクラップ刃とを有する上型および下型を備え、上型は、下型のスクラップ刃と対向する位置に設けられる凹部と、凹部内で型締め方向に沿って相対移動可能に保持され、かつ上型のトリミング刃の一部を構成する可動刃部と、可動刃部を弾性力でもって型締め方向に附勢する附勢手段とを有するトリミング装置において、可動刃部と摺動可能に当接するカム面を設けたカム部材を附勢手段に連結し、カム部材を可動刃部の移動方向と交わる向きに附勢するよう構成したことを特徴とするトリミング装置を提供する。
【０００９】
また、前記課題を解決するため、本発明は、対応する一対のトリミング刃とスクラップ刃とを有する上型および下型のうち、上型に固定されて使用されるトリミング装置用のスクラップ刃ユニットであって、ユニット本体と、ユニット本体の、下型のスクラップ刃と対向する位置に設けられる凹部と、凹部内で型締め方向に沿って相対移動可能に保持され、かつ上型のトリミング刃の一部を構成する可動刃部と、可動刃部を弾性力でもって型締め方向に附勢する附勢手段とを備え、可動刃部と摺動可能に当接するカム面を設けたカム部材を附勢手段に連結し、カム部材を可動刃部の移動方向と交わる向きに附勢するよう構成したトリミング装置用のスクラップ刃ユニットを提供する。
【００１０】
このように、本発明は、附勢手段からの附勢力を、その附勢方向を変換して可動刃部へと付与するためのカム部材を可動刃部と附勢手段との間に配設した点、およびカム部材を可動刃部の移動方向と交わる向きに附勢するよう構成した点を技術的特徴とするものである。すなわち、本発明の如く、附勢力をカム面を介して可動刃部に付与する構成とし、かつカム部材を、可動刃部の移動方向と交わる向きに附勢するように構成することで、附勢手段を、その附勢方向が可動刃部の移動方向と交わる向きに配設した場合であっても、可動刃部を型締め方向に附勢することが可能となる。従って、従来のように、弾性体を可動刃部と型締め方向に沿って縦列に配置する場合と比べて厚み寸法の縮小を図ることができ、上記機構の小型化、ひいては上型の小型化（特に薄肉化）が可能となる。この場合、カム部材のストロークは可動刃部のそれに比べて大きくなるが、そもそもトリミング装置は、薄板状のワークを対象しているものであるから、型締め方向と直交する向きには、型締め方向に比べてスペース上の制約をほとんど受けない。よって、少々ストロークが増したところで、この種のトリミング装置には何らの悪影響を及ぼさない。
【００１１】
また、上記附勢手段からカム部材へと付与される附勢力は、カム部材、さらには可動刃部と当接摺動するカム面を介して可動刃部へと付与される。ここで、カム面を傾斜面とした場合の力のつり合いを考える。図６は、カム部材１５に作用する力のつり合いを概念的に示すもので、附勢手段による附勢力Ｆと、ワークの切断に要する力（ワークからの反力）Ｐとがそれぞれ直交する向きにカム部材１５に作用している場合を想定している。ここで、θはカム部材１５に設けられた傾斜面（カム面）２１が附勢力Ｆに対してなす角である。この場合、力のつり合いは、式  Ｆ／Ｐ＝ｔａｎθ  で表される。この式から、附勢力ＦがＰ×ｔａｎθ以上であれば、可動刃部が動くことなく確実にトリミングを行うことができる。また、上述のつり合い式から、カム面を傾斜面２１とする場合、傾斜角θを小さくすれば、具体的には傾斜角θを４５°以下とすれば、附勢力Ｆを切断力Ｐより小さくすることができる。附勢力Ｆが小さくて済むのであれば、例えばスプリングなど附勢手段を構成する部品にも小さいものを使用できるので、かかる構成部品の小型化の分だけ上型の厚み寸法をさらに縮小することができる。
【００１２】
また、上述のように小型化が可能であれば、これら可動刃部やカム部材、およびこれらを附勢するための附勢手段を含む機構をユニット化することも可能である。すなわち、ユニット本体、ユニット本体に設けられる可動刃部、カム部材、および附勢手段を備えたスクラップ刃ユニットとし、これを上型の所定位置に固定することで、このスクラップ刃ユニットを上型とは別体に製作することができる。また、上型のトリミング刃は、ワーク形状に合わせて変更される可能性があるため、上型本体とは別に製作し、これを上型本体に固定することでアセンブリ化するのが通常である。ここで、本発明に係るスクラップ刃ユニットであれば、上型本体に当該ユニット取り付けのための特段の加工を必要としないので、上型トリミング刃を有する部材の側のみ取り付けのための加工を施せば済む。従って、ワークの変更に対しても必要最小限の金型の変更で対応することができ、これにより金型製作期間をさらに短縮して、さらなる製造コストの低減化を図ることが可能となる。
【００１３】
附勢手段によるカム部材への附勢方向と、可動刃部の移動方向との交差角は、例えば図６に示すように９０°とするのがよい。両者が直交するように配置を行うことで、附勢手段からの附勢力を無駄に逃がすことなく可動刃部に付与することができる。
【発明の効果】
【００１４】
このように、本発明によれば、簡易な構成で、スクラップを確実に切断可能であって、かつ、小型化を図ることでワークの多様化にも容易かつ低コストに対応可能なトリミング装置、およびこの装置に用いられるスクラップ刃ユニットを提供することができる。
【発明を実施するための最良の形態】
【００１５】
以下、本発明に係るトリミング装置の一実施形態を図面に基づいて説明する。
【００１６】
図１は、本発明の一実施形態に係るトリミング装置の要部を示す斜視図である。同図に示すように、このトリミング装置は、互い対応する一対のトリミング刃３、４とスクラップ刃５、６（上型１のスクラップ刃５については後述する）とを有する上型１および下型２とを備える。
【００１７】
上型１は、主に上型本体７と、トリミング刃３を有する切刃部材８とからなる。このうち、切刃部材８には、スクラップ刃５および可動刃部１３を設けた複数のスクラップ刃ユニット１１が組み込まれ、これにより、スクラップ刃ユニット１１が上型１に一体的に取り付けられている。
【００１８】
図２および図３はそれぞれスクラップ刃ユニット１１の分解斜視図、および組立て状態における断面図を示している。図２に示すように、スクラップ刃ユニット１１は、上型１の切刃部材８に組み込まれるユニット本体１２と、トリミング刃３の一部（トリミング刃３ａ）を構成し、かつユニット本体１２に対して型締め方向に沿って移動可能にユニット本体１２内に配設される可動刃部１３と、可動刃部１３を弾性力でもって型締め方向に附勢する附勢手段１４と、可動刃部１３と摺接し、かつ附勢手段１４に連結されるカム部材１５とを主に備える。
【００１９】
詳細には、ユニット本体１２の、下型２のスクラップ刃６と対向する位置には凹部１６が形成され、この凹部１６内に可動刃部１３が収容される。この実施形態では、可動刃部１３には、型締め方向に沿ってガイド孔１７が形成されており、ガイド孔１７にガイド用ボルト１８を挿通し、その先端をユニット本体１２に例えばねじ嵌合で固定することで、可動刃部１３がガイド用ボルト１８の外周面１８ａによって案内され、型締め方向に沿って移動するようになっている。また、ガイド孔１７は段差部１９を介して異径に形成されており、この段差部１９とガイド用ボルト１８のヘッド１８ｂとを係合させることで、附勢時、可動刃部１３の抜止めを図っている。
【００２０】
可動刃部１３のトリミング刃３ａとは反対側の端部には、型締め方向に対して所定の傾斜角をなす傾斜面２０が設けられている。また、カム部材１５には、可動刃部１３の傾斜面２０と摺動可能に当接するカム面としての傾斜面２１が設けられている。カム部材１５は、傾斜面２０、２１同士を当接させた状態で附勢手段１４により可動刃部１３の移動方向と交わる向きに附勢されるよう、ユニット本体１２内の所定位置に配設されている。
【００２１】
この実施形態では、附勢手段１４は、例えばスプリング等の弾性体２２と、弾性体２２を押圧するプレート２３と、プレート２３のユニット本体１２内における水平方向位置を設定して、弾性体２２の押圧量（予圧）を調整するための予圧調整ボルト２４とで構成されている。カム部材１５には、傾斜面２１を型締め方向に貫通する貫通孔２５が設けられている。また、ユニット本体１２には、凹部１６と型締め方向で連通し、カム部材１５、弾性体２２、およびプレート２３を収容するための横穴２６が、型締め方向と直交する向きに形成されている。図示例では、横穴２６を、カム部材１５の外周形状に倣った形状（ここでは何れも円筒状）に形成しているので、型締め時、横穴２６の内周面２６ａがカム部材１５のガイド面として機能する。また、貫通孔２５にガイド用ボルト１８を挿入した構成を採ることで、カム部材１５の回り止めとしても作用する。
【００２２】
この場合、まず、横穴２６内に、プレート２３、弾性体２２、およびカム部材１５をこの順に導入する。次に、横穴２６内に導入されたカム部材１５の傾斜面２１に可動刃部１３の傾斜面２０を当接させた状態で、ガイド孔１７および貫通孔２５にガイド用ボルト１８を挿入し、その先端をユニット本体１２に固定する。その後、横穴２６の底部に設けたねじ穴２７に予圧調整ボルト２４をねじ嵌合して、プレート２３を水平方向所定位置まで押し込むことで、可動刃部１３に所要の附勢力が付与された状態のスクラップ刃ユニット１１が完成する。
【００２３】
この構成において、可動刃部１３の移動方向とカム部材１５の附勢方向とは、図３に示すように直交している。また、カム部材１５の傾斜面２１の、附勢方向に対する傾斜角をθとした場合、この実施形態では、θ≦４５°となるよう、両傾斜面２０、２１が形成されている。
【００２４】
また、図３に示す状態では、可動刃部１３は、カム部材１５を介して附勢手段１４から附勢力Ｆを受け、ガイド用ボルト１８のヘッド１８ｂと係合する位置まで移動した状態にある。この際、可動刃部１３のトリミング刃３ａと、ユニット本体１２に設けられたトリミング刃３とは、同一高さに維持されている。この高さ調整は、例えばガイド用ボルト１８のヘッド１８ｂのユニット本体１２に対する固定位置、およびヘッド１８ｂと係合する可動刃部１３の段差部１９とトリミング刃３ａとの間の寸法を高精度に設定することで行うことができる。あるいは、トリミング刃３、３ａに係る部分の加工代を残した状態でユニット化し、上型１への組み込み後、トリミング刃３、３ａに対応する箇所を研削等で加工することでトリミング刃３、３ａの水平方向位置および上下方向位置を揃えることも可能である。
【００２５】
また、ユニット本体１２に設けた凹部１６の内側面上端にあって、下型２のスクラップ刃６と対向する位置には、トリミング刃３と連続しかつ直交する向きにスクラップ刃５が延設されている。
【００２６】
上述の状態から、図４に示すように、上型１を下型２に近接させて、型締めを行うことでワークＷのトリミングを行う。この場合、可動刃部１３のトリミング刃３ａはワークＷの切断に伴いワークＷからの反力Ｐを受ける。そのため、可動刃部１３に作用する附勢力Ｆ×ｔａｎθが反力Ｐを上回るよう、附勢力Ｆおよび傾斜角θを調整しておくことで、可動刃部１３がワークＷからの反力Ｐを受けて上方に移動するのを防いで、確実にワークＷの切断（トリミング）を行うことができる。特に、この実施形態では、附勢手段１４によるカム部材１５への附勢方向と、可動刃部１３の移動方向とが直交するように配置したので、附勢手段１４からの附勢力Ｆを無駄に逃がすことなく可動刃部１３に付与することができる。
【００２７】
上述のように、対応する一対のトリミング刃３、４によりワークＷを所定形状に縁取り（トリミング）した後、さらに上型１を下型２に近接させて、対応する上下のスクラップ刃５、６によりワークＷから切り離されたスクラップＳを複数個に切断分離する。図５は、切断完了時における上型１の状態を示している。この際、スクラップＳの切断は、可動刃部１３の下端面と、これに対向するスクラップ刃部材９の上端面との間でスクラップＳを挟持しながら行われる。また、この際、上型１の下降に伴い、スクラップＳに当接した状態の可動刃部１３が、附勢力Ｆ×ｔａｎθに抗して上方（凹部１６内部）に移動することで、金型にダメージを与えることなく確実にスクラップＳを切断することができる。言い換えると、可動刃部１３への附勢力Ｆ×ｔａｎθが、トリミング時にワークＷから受ける反力Ｐより大きく、かつスクラップＳの切断時、型締め力より小さくなるよう、附勢力Ｆおよび傾斜角θを調整しておくことで、スクラップＳの切断処理を無理なく確実に行うことができる。
【００２８】
このように、カム部材１５を、傾斜面２０、２１同士を当接させた状態で附勢手段１４により可動刃部１３の移動方向と交わる向きに附勢するよう、附勢手段１４およびカム部材１５をユニット本体１２に配設することで、従来のように、可動刃部と附勢手段（弾性体）を縦列に配置する場合と比べて、上型１の厚み寸法を小さくすることができる。さらにいえば、厚み寸法を小さくしたことで、この実施形態のように、スクラップ刃機構に係る部分をユニット化することができ、これにより、汎用性、ストック性、製作容易性（特に上型本体７の加工を簡略化可能）に優れたトリミング装置を低コストに製作することができる。また、ユニット化が可能となることで、ワークＷの変更にも容易かつ低コストで対応することができる。
【００２９】
また、この実施形態では、カム部材１５の傾斜面２１が附勢力Ｆに対してなす角θを４５°以下としたので、附勢力Ｆを切断力Ｐより小さくすることができる。附勢力Ｆが小さくて済むのであれば、例えばスプリングなど附勢手段を構成する弾性体２２にも小さいものを使用できるので、かかる構成部品の小型化の分だけ上型の厚み寸法をさらに縮小することができる。
【００３０】
以上、本発明の一実施形態を説明したが、本発明は、この実施形態に限定されない。カム部材１５を介して可動刃部１３に附勢力Ｆを付与する構成を採る限りにおいて、任意の構成が採用可能である。
【００３１】
例えば、上記実施形態では、可動刃部１３に段付きのガイド孔１７を形成し、このガイド孔１７に挿通したガイド用ボルト１８のヘッド１８ｂとガイド孔１７の段差部１９とを係合させることで、可動刃部１３の抜止めを構成したが、これ以外の構成で抜止めを図っても構わない。例えば、図示は省略するが、ユニット本体１２の凹部１６に、可動刃部１３と型締め方向に係合可能な部分（段差など）を設けることで、抜止めを図ることもできる。この場合、ガイド孔１７や貫通孔２５の加工が不要となるメリットがある。
【００３２】
また、上記実施形態では、可動刃部１３と摺動可能に当接するカム面としてフラットな傾斜面２１をカム部材１５に設けた場合を例示したが、もちろん、附勢手段１４により可動刃部１３の移動方向と交わる向きに附勢された場合に、可動刃部１３に対してその移動方向（型締め方向）に向けて附勢力Ｆを付与できる限りにおいて、任意形状のカム面を設けることが可能である。また、カム面と当接摺動する可動刃部１３の面形状についても、同様の作用を生じる限りにおいて、傾斜面２０以外の形状（例えば凸曲面形状）とすることも可能である。
【００３３】
また、上記実施形態では、附勢手段１４を、弾性力をもってカム部材１５を附勢するための弾性体２２としてスプリングを、弾性体２２を押圧して附勢力Ｆを調整するための手段としてプレート２３および予圧調整ボルト２４とをそれぞれ例示したが、これ以外の構成を採ることも可能である。例えば、比較的高剛性で継続使用に伴う疲労劣化が小さいゴム材料で弾性体２２を構成することも可能である。あるいは、ガススプリングなど、弾性体２２を有しないものであっても、弾性力（ここでは基準位置からの変位に応じて生じる力であって、当該基準位置に向けたものをいう）による附勢力を特定の方向に付与し、かつこの附勢力を調整可能な構造体であれば、特に問題なく使用することが可能である。
【００３４】
また、スクラップ刃ユニット１１の汎用性を高めるため、予めスクラップ刃５を、これと対向する位置、すなわち凹部１６の両側面上端に設けておくこともできる。このような構成とすれば、ワークＷを挟んだ対向側のスクラップ切断箇所にも、単一のスクラップ刃ユニット１１を使用することができ、さらなる製造コストの低減を図ることができる。
【００３５】
また、上記実施形態では、スクラップ刃機構を、スクラップ刃ユニット１１としてユニット化した場合を説明したが、この構成に限る必要はない。例えば加工上の問題がそれほどないのであれば、上型１の切刃部材８をユニット本体１２とみなして、切刃部材８に直接凹部１６や横穴２６を設け、可動刃部１３や附勢手段１４、およびカム部材１５を収容するように構成することも可能である。
【図面の簡単な説明】
【００３６】
【図１】本発明の一実施形態に係るトリミング装置の要部斜視図である。
【図２】トリミング装置に組み込まれるスクラップ刃ユニットの斜視図である。
【図３】スクラップ刃ユニットの断面図である。
【図４】トリミング時におけるスクラップ刃ユニット周辺の断面図である。
【図５】スクラップ切断時におけるスクラップ刃ユニット周辺の断面図である。
【図６】カム部材における力のつり合いを模式的に示す図である。
【図７】従来の可動スクラップ刃機構を示す側面図である。
【図８】従来の可動スクラップ刃機構を示す断面図である。
【符号の説明】
【００３７】
１      上型
２      下型
３、４  トリミング刃
３ａ    トリミング刃（可動刃部）
５、６  スクラップ刃
１１    スクラップ刃ユニット
１３    可動刃部
１４    附勢手段
１５    カム部材
１６    凹部
２１    傾斜面（カム面）
２２    弾性体
Ｆ      附勢力
Ｐ      切断力
θ      傾斜角
【図１】
2008087051.tif 000003
【図２】
2008087051.tif 000004
【図３】
2008087051.tif 000005
【図４】
2008087051.tif 000006
【図５】
2008087051.tif 000007
【図６】
2008087051.tif 000008
【図７】
2008087051.tif 000009
【図８】
2008087051.tif 000010